(57)【特許請求の範囲】
【請求項１】
薬剤収納ケースのアセンブリであって、
前面、後面、内部領域（１４０）、及び前記内部領域（１４０）にそれを通じてアクセスできる前記前面の開口を画定するケース本体（１１０）と、
前記ケース本体の後面を壁に対して取り付けることが可能な取付具と、
前記開口に隣接して前記ケース本体にヒンジにより連結されたドア（１２０）であって、閉じた位置を占めるときに内部領域（１４０）へのアクセスを阻み、開いた位置を占めるときに前記内部領域へのアクセスを許可する前記ドア（１２０）と、
前記内部領域（１４０）内に配置されてロック状態及びロック解除状態を占めるように構成された薬剤ロック（５１０）であって、前記薬剤ロック（５１０）は、前記ロック状態を占めるときに前記内部領域（１４０）からのエピネフリン注射器（１３０）の取出しを制限し、前記ロック解除状態を占めるときに前記内部領域から前記エピネフリン注射器（１３０）の取出しを許可する前記薬剤ロックと、
前記薬剤ロック（５１０）を前記ロック状態からロック解除状態に遷移するように構成され、前記薬剤ロック（５１０）の遷移は前記内部領域（１４０）からの取出し及びその後の使用のために前記エピネフリン注射器（１３０）を解放するアクチュエータ（５６２）と、
ローカルユーザからの入力として第１の音声を受信するように構成されたマイクロホン（３３８）と、
前記ローカルユーザに第２の音声を出力するように構成されたスピーカ（３３６）と、
少なくとも一つのリモートサイトに少なくとも一つの通信チャネルを提供するように構成された通信ユニット（３５０）と、
プロセッサ（３１０）であって、
前記通信ユニットを介して前記ローカルユーザと前記リモートサイトとの間の双方向の通信セッションを確立（６５０）し、前記通信ユニットは前記マイクロホンによって受信された前記第１の音声を送信し、前記スピーカを介して出力される第２の音声を受信し、
前記エピネフリン注射器にアクセスが可能なように前記収納ケースに命令するロック解除信号を受信（７２０）し、
前記通信ユニットを介した前記リモートサイトからの前記ロック解除信号の受信に応じて前記アクチュエータにアクセス信号を出力（７４０）し、前記アクチュエータは前記アクセス信号の受信に応じて前記ロック状態から前記ロック解除状態に遷移する
ように構成された前記プロセッサと
を含む薬剤収納ケース。
【請求項２】
前記プロセッサ（３１０）と通信するボタン（３４１）をさらに含み、前記プロセッサ（３１０）は前記ボタン（３４１）が押下されたことに応じて前記双方向の通信セッションを確立（６５０）するように構成された請求項１に記載の薬剤収納ケース。
【請求項３】
前記プロセッサ（３１０）は、
前記ボタンが押下されたことに応じて前記通信ユニット及び基本電話システム（ＰＯＴＳ）を介して緊急出動サービスへの固定電話の通話を確立し（６３０）、
前記固定電話の通話を介して所定の情報を送信する（６４０）
ようにさらに構成された請求項２に記載の薬剤収納ケース。
【請求項４】
ディスプレイデバイス（３４５）をさらに含み、
前記プロセッサ（３１０）は、前記エピネフリン注射器へのアクセスを許可する際に前記ユーザに前記ディスプレイデバイス（３４５）を介して映像説明を出力するようにさらに構成された請求項１から３のいずれかに記載の薬剤収納ケース。
【請求項５】
前記エピネフリン注射器（１３０）を収納するサイズであって、前記内部領域（１４０）内に配置されたスリーブ（４００）をさらに含み、
前記薬剤ロック（５１０）は、前記ロック状態で前記スリーブ（４００）に係合して前記内部領域（１４０）からの前記エピネフリン注射器（１３０）の取出しを制限し、前記ロック解除状態で前記スリーブ（４００）から解放されて前記内部領域（１４０）からの前記エピネフリン注射器（１３０）の取出しを許可する請求項１から４のいずれかに記載の薬剤収納ケース。
【請求項６】
前記薬剤ロック（５１０）を前記スリーブ（４００）から解放する際に、前記スリーブ（４００）は前記薬剤ロック（５１０）から前記開口に向かって落下する請求項５に記載の薬剤収納ケース。
【請求項７】
追加のエピネフリン注射器（１３０）の取出しを選択的に制限又は許可するように構成された追加の薬剤ロック（５１０）をさらに含む請求項１から６のいずれかに記載の薬剤収納ケース。
【請求項８】
薬剤収納ケースであって、
前面、後面、内部領域（１４０）、及び前記内部領域（１４０）にそれを通じてアクセスできる前記前面の開口を画定するケース本体（１１０）と、
前記ケース本体の後面を壁に対して取り付けることが可能な取付具と、
前記開口に隣接して前記ケース本体（１１０）にヒンジにより連結されたドア（１２０）であって、閉じた位置を占めるときに内部領域（１４０）へのアクセスを阻み、開いた位置を占めるときに前記内部領域へのアクセス許可する前記ドア（１２０）と、
第１の状態及び第２の状態を占めるように構成された保持構造（５１０）であって、前記第１の状態を占めるとき前記内部領域（１４０）からのエピネフリン注射器（１３０）の取出しを制限し、前記第２の状態を占めるときに前記内部領域（１４０）からの前記エピネフリン注射器（１３０）の取出しを許可し、ロック解除信号の受信に応じて前記第１の状態から前記第２の状態に遷移する前記保持構造（５１０）と、
ローカルユーザからの入力として第１の音声を受信するように構成されたマイクロホン（３３８）と、
第２の音声を前記ローカルユーザに出力するように構成されたスピーカ（３３６）と、
少なくとも一つのリモートサイトに少なくとも一つの通信チャネルを提供するように構成された通信ユニット（３５０）と、
プロセッサ（３１０）であって、
前記通信ユニットを介して前記ローカルユーザと前記リモートサイトとの間の双方向の通信セッションを確立（６５０）し、前記通信ユニット（３５０）は前記マイクロホン（３３８）によって受信された前記第１の音声を送信し、前記スピーカ（３３６）を介して出力される第２の音声を受信し、
前記エピネフリン注射器（１３０）にアクセスを許可するように前記収納ケースに命令するアクセス信号を受信（７２０）し、
前記通信ユニットを介した前記リモートサイトからの前記ロック解除信号の受信に応じて前記保持構造（５１０）のアクチュエータ（５６２）に前記アクセス信号を出力（７４０）する
ように構成された前記プロセッサ（３１０）と
を含む薬剤収納ケース。
【請求項９】
前記プロセッサと通信するボタン（３４１）をさらに含み、前記プロセッサ（３１０）は、前記ボタン（３４１）に押下されたことに応じて双方向の通信セッションを確立するように構成された請求項８に記載の薬剤収納ケース。
【請求項１０】
前記プロセッサ（３１０）は、
前記ボタンが押下されたことに応じて前記通信ユニット（３５０）及び基本電話システム（ＰＯＴＳ）を介して緊急出動サービスへの固定電話の通話を確立し（６３０）、
前記固定電話の通話を介して前記緊急出動サービスに所定の情報を送信する（６４０）
ようにさらに構成された請求項９に記載の薬剤収納ケース。
【請求項１１】
ディスプレイデバイス（３４５）をさらに含み、
前記プロセッサ（３１０）は、前記エピネフリン注射器へのアクセスを許可する際に前記ユーザに前記ディスプレイデバイス（３４５）を介して映像説明を出力するようにさらに構成された請求項８から１０のいずれかに記載の薬剤収納ケース。
【請求項１２】
前記エピネフリン注射器（１３０）を収納するサイズであって、前記内部領域（１４０）内に配置されたスリーブ（４００）をさらに含み、
前記保持構造（５１０）は、前記第１の状態で前記スリーブ（４００）に係合して前記内部領域（１４０）からの前記エピネフリン注射器（１３０）の取出しを制限し、前記第２の状態で前記スリーブ（４００）から解放して前記内部領域（１４０）からの前記エピネフリン注射器（１３０）の取出しを許可する請求項８から１１のいずれかに記載の薬剤収納ケース。
【請求項１３】
前記保持構造（５１０）を前記スリーブ（４００）から解放する際に、前記スリーブ（４００）は前記保持構造（５１０）から前記開口に向かって落下する請求項１２に記載の薬剤収納ケース。
【請求項１４】
薬剤収納ケースであって、
前面、後面、内部領域（１４０）、下部棚、及び前記内部領域（１４０）にそれを通じてアクセスできる前記前面の開口を画定するケース本体（１１０）と、
前記ケース本体（１１０）の後面を壁に対して取り付けることが可能な取付具と、
前記開口に隣接して前記ケース本体（１１０）にヒンジにより連結されたドア（１２０）であって、閉じた位置を占めるときに内部領域（１４０）へのアクセスを阻み、開いた位置を占めるときに前記内部領域（１４０）へのアクセス許可する前記ドア（１２０）と、
エピネフリン注射器（１３０）を収納するサイズであって、前記内部領域（１４０）内に配置され、レールを含むスリーブ（４００）と、
第１の位置と第２の位置の間を移動可能なフック（５１０）を含む薬剤ロックであって、前記フック（５１０）は、前記第１の位置にあるときに前記スリーブ（４００）のレールに係合するように配置され、前記第２の位置にあるときに前記スリーブ（４００）のレールから解除されるように配置され、前記スリーブ（４００）は、前記フック（５１０）が前記スリーブ（４００）のレールに係合しているときに前記下部棚の上に吊り下げられ、前記フック（５１０）が前記スリーブ（４００）のレールから解放されているときに前記下部棚に落下する前記薬剤ロックと、
ソレノイド（５６２）を含み、前記ソレノイド（５６２）は、作動すると、前記第１の位置から前記第２の位置に前記フック（５１０）を移動させるアクチュエータと、
ローカルユーザからの入力として第１の音声を受信するように構成されたマイクロホン（３３８）と、
前記ローカルユーザに第２の音声を出力するように構成されたスピーカ（３３６）と、
基本電話システム（ＰＯＴＳ）接続及びインターネット接続を提供するように構成された通信ユニット（３５０）と、
前記ローカルユーザがアクセスできるボタン（３４１）と、
プロセッサ（３１０）であって、
ボタンの押下を検出し（６２０）、
前記ボタンの押下を検出したことに応じ、
前記通信ユニット（３５０）及び前記ＰＯＴＳを介して緊急出動サービスへの電話の通話を確立し（６３０）、
前記電話の通話を介して前記緊急出動サービスに所定の情報を送信し（６４０）、
前記通信ユニット（３５０）及び前記インターネットを介して前記ローカルユーザとリモートサイトとの間の双方向通信を確立し（６５０）、前記通信ユニット（３５０）は、前記マイクロホン（３３８）によって受信された前記第１の音声を送信し、前記スピーカ（３３６）を介して出力される前記第２の音声を受信し、
前記インターネットを介してロック解除メッセージを受信し（７２０）、
前記ロック解除メッセージを受信したことに応じ、前記ソレノイド（５６２）を作動させ（７４０）、前記スリーブ（４００）を解放させる
ように構成された前記プロセッサ（３１０）と
を含む薬剤収納ケース。
【請求項１５】
前記レールとは別個のレールを含む前記スリーブとは別個のスリーブ（４００）と、
前記別個のスリーブ（４００）と係合した前記フックとは別個のフック（５１０）と、
前記別個のフック（５１０）を前記別個のスリーブ（４００）から解放させるように構成された前記ソレノイドとは別個のソレノイド（５６２）とをさらに含み、
前記ソレノイド（５６２）及び前記別個のソレノイド（５６２）の作動において、前記プロセッサ（３１０）は、前記ロック解除メッセージが前記スリーブ（４００）に適用可能であり、前記別個のスリーブ（４００）に適用可能でないことを決定する（７３０）ように構成された請求項１４に記載の薬剤収納ケース。
【請求項１６】
前記ケース本体に連結された着脱式のデバイス（１０４０）をさらに含み、前記着脱式のデバイスは、
マイクロホン（３３８）及びスピーカ（３３６）と、
前記プロセッサに映像データを送信するように構成されたＷｉＦｉデバイスとを含む請求項１４から１５のいずれかに記載の薬剤収納ケース。
【請求項１７】
前記着脱式のデバイスは、取り付けられると、前記着脱式のデバイス（１０４０）が前記ケース本体から取り外されないように前記ケース本体（１１０）に選択的に取り付け可能であり、
前記プロセッサ（３１０）は、
前記通信ユニットを介し、前記着脱式のデバイス（１０４０）を解放する命令を受信し、
前記着脱式のデバイスを解放する命令に応じ、前記着脱式のデバイス（１０４０）を解放させてユーザが前記着脱式のデバイスを前記ケース本体から取り外すことを許可する
ように構成された請求項１６に記載の薬剤収納ケース。
【請求項１８】
前記プロセッサ（３１０）は、前記通信ユニットを介し、前記エピネフリン注射器（１３０）が分配されたという指示を送信するようにさらに構成された請求項１４から１７のいずれかに記載の薬剤収納ケース。
【請求項１９】
温度データを感知する温度センサ（３１３）をさらに含み、前記プロセッサ（３１０）は前記通信ユニットを介して前記温度データを送信するようにさらに構成された請求項１４から１８のいずれかに記載の薬剤収納ケース。
【発明の詳細な説明】
【技術分野】
【０００１】
関連出願の相互参照
［０００１］この国際出願は、２０１４年５月２０日に継続出願として出願された米国特許出願第１４／２８２８８４号への優先権を主張し、その全体の開示はあらゆる目的のために参照によって本明細書に組み込まれる。この国際出願は、関連する米国特許出願第１４／５５１９３５号への優先権を主張し、その全体の開示はあらゆる目的のために参照によって本明細書に組み込まれる。
【０００２】
技術分野
［０００２］本明細書において開示される様々な例示的な実施形態は、概して、薬剤の収納、分配及び投与に関する。
【背景技術】
【０００３】
［０００３］薬物治療の迅速な投薬が最も重要である緊急事態を生じ得る症状に苦しむ人々がいる。例えば、トリガー物質に曝された重度のアレルギーを持つ人はアナフィラキシーを発現することがある。その急速な発病とアレルギーの重症度に応じて付随する死の可能性があるため、できるだけ早く、エピネフリンの服用のような投薬治療をすることが重要である。既知のアレルギーを持つ患者は、緊急事態で常にアクセス可能であるようにいつも自動注射器を身に着けているという計画で、突然のアナフィラキシーを治療するエピネフリンの自己注射器を処方されることが通常である。同様に、直ちに治療を必要とする緊急事態を生じ得る他の病状を有する患者は、身に着けておく適切な薬剤やデバイスを処方されることがある。
【発明の概要】
【０００４】
［０００４］エピネフリン及び他の薬物治療及びデバイスの管理における様々な偶発の計画について本必要性の観点から、様々な例示的な実施形態の簡単な概要が提示される。いくつかの簡略化及び省略が後続する概要でなされることがあるが、様々な例示的な実施形態のいくつかの態様を強調及び紹介することを意図し、本発明の範囲を限定するものではない。当業者が本発明の概念を作製して使用することを可能にするのに適切な好ましい例示的な実施形態の詳細な説明は、後の節で記載する。
【０００５】
［０００５］様々な実施形態は、前面、後面、内部領域、及び内部領域がそれを通してアクセス可能である前面の開口を画定するケース本体と、ケース本体の後面を壁に取り付けることが可能な取付具と、開口に隣接してヒンジにより連結されたドアであって、閉じた位置を占めるときに内部領域へのアクセスを阻み、開いた位置を占めるときに内部領域へのアクセスを許可するドアと、前記内部領域に配置され、ロック状態及びロック解除状態を占めるように構成された薬剤ロックであって、ロック状態を占めるときに内部領域からエピネフリン注射器の取出し制限し、ロック解除状態を占めるときにエピネフリン注射器の取出しを許可する薬剤ロックと、薬剤ロックをロック状態からロック解除状態に遷移させるように構成されたアクチュエータであって、薬剤ロックの遷移は内部領域からの取出しと後続する使用のためにエピネフリン注射器を解放するアクチュエータと、ローカルユーザからの入力として第１の音声を受信するように構成されたマイクロホンと、ローカルユーザに第２の音声を出力するように構成されたスピーカと、少なくとも一つのリモートサイトに少なくとも一つの通信チャネルを提供するように構成された通信ユニットと、プロセッサであって、通信ユニットを介し、ローカルユーザとリモートサイトとの間で双方向通信セッションを確立し、通信ユニットは、マイクロホンによって受信された第１の音声を送信し、スピーカを介して出力される第２の音声を受信し、エピネフリン注射器にアクセスを許可するように収納ケースに命令するロック解除信号を受信するように構成されたプロセッサとを含む薬剤収納ケースアセンブリに関する。
【０００６】
［０００６］様々な実施形態は、前面、後面、内部領域、及び内部領域がそれを通してアクセス可能である前面の開口を画定するケース本体と、ケース本体の後面を壁に取り付けることが可能な取付具と、開口に隣接してヒンジにより連結されたドアであって、閉じた位置を占めるときに内部領域へのアクセスを阻み、開いた位置を占めるときに内部領域へのアクセスを許可するドアと、第１の状態及び第２の状態を占めるように構成された保持構造であって、第１の状態を占めるときに内部領域からエピネフリン注射器の取出しを制限し、第２の状態を占めるときに内部領域からエピネフリン注射器の取出しを許可し、ロック解除信号の受信に応じて第１の状態から第２の状態に遷移する保持構造と、ローカルユーザからの入力として第１の音声を受信するように構成されたマイクロホンと、ローカルユーザへの第２の音声を出力するように構成されたスピーカと、少なくとも一つのリモートサイトに少なくとも一つの通信チャネルを提供するように構成された通信ユニットと、プロセッサであって、通信ユニットを介し、ローカルユーザとリモートサイトとの間で双方向通信セッションを確立し、通信ユニットは、マイクロホンによって受信された第１の音声を送信し、スピーカを介して出力される第２の音声を受信し、エピネフリン注射器にアクセスを許可するように収納ケースに命令するアクセス信号を受信するように構成されたプロセッサとを含む薬剤収納ケースに関する。
【０００７】
［０００７］様々な実施形態は、前面、後面、内部領域、及び内部領域がそれを通してアクセス可能である前面の開口を画定するケース本体と、ケース本体の後面を壁に取り付けることが可能な取付具と、開口に隣接してヒンジにより連結されたドアであって、閉じた位置を占めるときに内部領域へのアクセスを阻み、開いた位置を占めるときに内部領域へのアクセスを許可するドアと、エピネフリン注射器を収納するサイズであって、内部領域内に配置され、レールを含むスリーブと、第１の位置と第２の位置との間で移動可能なフックを含む医薬ロックであって、フックは、第１の位置にあるときにレールと係合するように配置され、第２の位置にあるときにレールを解放するように配置され、スリーブのレールに係合するように配置されたときに下部棚の上に吊り下げられ、スリーブのレールから解放されたときに下部棚に落下する医薬ロックと、ソレノイドを含むアクチュエータであって、ソレノイドは、作動すると、第１の位置から第２の位置にフックを移動させるアクチュエータと、ローカルユーザからの入力として第１の音声を受信するように構成されたマイクロホンと、ローカルユーザに第２の音声を出力するように構成されたスピーカと、基本電話システム（ＰＯＴＳ）接続及びインターネット接続を提供するように構成された通信ユニットと、ローカルユーザがアクセスできるボタンと、プロセッサであって、ボタンの押下を検出し、ボタンの押下の検出に応じ、通信ユニット及びＰＯＴＳを介して緊急出動に電話の通話を確立し、電話の通話を介して緊急出動に所定の情報を送信し、通信ユニット及びインターネットを介してローカルユーザとリモートサイトとの間に双方向通信を確立し、通信ユニットは、マイクロホンによって受信された第１の音声を送信し、スピーカを介して出力される第２の音声を受信し、インターネットを介してロック解除メッセージを受信し、ロック解除メッセージの受信に応じ、ソレノイドを作動させてスリーブを解放させるように構成されたプロセッサとを含む薬剤収納ケースに関する。
【０００８】
［０００８］様々な実施形態が記載され、プロセッサは、ロック解除信号を受信することに応じてアクセス信号をアクチュエータに出力するようにさらに構成され、アクチュエータはアクセス信号を受信することに応じて薬剤ロックをロック状態からロック解除状態に遷移させる。
【０００９】
［０００９］様々な実施形態は、プロセッサと通信するボタンを追加で含み、プロセッサは、ボタンが押下されたことに応じて双方向の通信セッションを確立するように構成されている。
【００１０】
［００１０］様々な実施形態が記載され、プロセッサは、ボタンの押下に応じて通信ユニット及び基本電話システム（ＰＯＴＳ）を介して緊急出動に固定電話の通話を確立し、固定電話の通話を介して緊急出動に所定の情報を送信するようにさらに構成されている。
【００１１】
［００１１］様々な実施形態は、ディスプレイデバイスを追加で含み、プロセッサは、エピネフリン注射器にアクセスを許可する際にユーザにディスプレイデバイスを介して映像説明を出力するようにさらに構成されている。
【００１２】
［００１２］様々な実施形態は、エピネフリン注射器を収容するサイズであって、内部領域内に配置されたスリーブを追加で含み、薬剤ロックは、ロック状態でスリーブに係合して内部領域からエピネフリン注射器の取出しを制限し、ロック解放状態でスリーブから解放されて内部領域からエピネフリン注射器の取出しを許可する。
【００１３】
［００１３］様々な実施形態が記載され、薬剤ロックがスリーブから解除されると、スリーブは薬剤ロックから開口に向かって落下する。
【００１４】
［００１４］様々な実施形態は、追加のエピネフリン注射器の取出しを選択的に制限又は許可するように構成された追加の薬剤ロックを追加で含んでいる。
【００１５】
［００１５］様々な実施形態は、追加のレールを含む追加のスリーブと、追加のスリーブに係合する追加の薬剤ロックと、追加のスリーブから追加の薬剤ロックを解除する構成された追加のソレノイドとを追加で含み、ソレノイドの作動において、プロセッサは、メッセージがスリーブに適用可能であり、及び追加のスリーブに適用できないことを決定するように構成されている。
【００１６】
［００１６］様々な実施形態は、ケース本体に接続された着脱式のデバイスを追加で含み、着脱式のデバイスは、マイクロホン及びスピーカと、プロセッサに映像データを送信するように構成されたＷｉＦｉデバイスとを含んでいる。
【００１７】
［００１７］様々な実施形態が記載され、着脱式のデバイスは、取り付けられたときにケース本体から取り外されることがないようにケース本体に選択的に取り付け可能であり、プロセッサは、通信ユニットを介し、着脱式のデバイスを解放する命令を受信し、着脱式のデバイスの解放の命令に応じ、着脱式のデバイスを解放させてユーザに着脱式のデバイスをケース本体から解放することを許可するようにさらに構成されている。
【００１８】
［００１８］様々な実施形態が記載され、プロセッサ、通信モジュールを介し、エピネフリン注射器が分配されたという指示を送信するようにさらに構成されている。
【００１９】
［００１９］様々な実施形態は温度データを感知する温度センサを追加で含み、プロセッサは、通信モジュールを介して温度データを送信するようにさらに構成されている。
【００２０】
［００２０］様々な実施形態は、薬剤へのアクセスを選択的に制限するように構成されたロック機構であって、医薬品へのアクセスが制限されたロック状態及び薬剤へのアクセスが許可されたロック解除状態を有するロック機構と、ネットワークを介して少なくとも一つのリモートデバイスと通信するように構成された接続ユニットと、ロック機構及び接続ユニットと通信するプロセッサであって、接続ユニットを介して少なくとも一つのリモートデバイスから分配命令を受信し、分配命令を受信することに応じ、ロック機構がロック解除状態に入るようにさせ、ロック機構は、少なくとも一つのリモートデバイスから分配命令を受信することに基づいて薬剤へのアクセスをユーザに許可するように構成されたプロセッサとを含む薬剤収納ケースアセンブリに関する。
【００２１】
［００２１］様々な実施形態は、薬剤へのアクセスを提供する薬剤収納ケースによって実行される方法に関し、この方法は、収納ケースによって、薬剤をアクセスできない状態に保持し、ユーザは収納ケースから薬剤の取出しを制限され、リモートデバイスから通信ネットワークを介し、ユーザに薬剤を分配する命令を受信し、命令に応じ、薬剤を解放し、ユーザは解放に従い収納ケースから薬剤の取出しを許可されることを含んでいる。
【００２２】
［００２２］様々な実施形態は、薬剤収納ケースによって実行する命令で符号化された非一時的な機械可読の記憶媒体に関し、非一時的な機械可読の記憶媒体は、ネットワークを介して少なくとも一つのリモートデバイスと通信する命令と、ローカルユーザに薬剤を分配する命令を受信する命令を含む通信の命令と、薬剤に関連したロック機構を制御する命令と、ローカルユーザに薬剤を分配する命令に基づいてロック機構に薬剤を解放させる命令を含む制御の命令とを含んでいる。
【００２３】
［００２３］様々な実施形態が記載され、ロック機構は、選択的に薬剤へのアクセスを制限し、薬剤を収納している薬剤供給デバイスへのアクセスを選択的に制限するように構成されている。
【００２４】
［００２４］様々な実施形態が記載され、ロック状態において、ロック機構は第１の位置に薬剤を保持するように構成され、ロック機構は、ロック解除状態に入ると、薬剤をユーザにアクセス可能な第２の位置に移動することを許可するように構成されている。様々な実施形態において、薬剤を解放することは、ユーザがアクセス可能な場所に薬剤を落とすことを含んでいる。
【００２５】
［００２５］様々な実施形態が記載され、プロセッサは、分配命令が薬剤又は第２の薬剤と関連しているかどうかを決定し、分配命令が第２の薬剤に関連しているときに第２の薬剤を分配させるようにさらに構成され、プロセッサは、分配命令が薬剤に関連していることに基づいて、ロック機構にロック解除状態に入らせ、これによって、ユーザに薬剤へのアクセスを許可するように構成されている。
【００２６】
［００２６］様々な実施形態は、ユーザから入力を受信し、出力をユーザに提示するように構成された相互作用ユニットを追加で含み、通信ユニットは、相互作用ユニットを介してリモートパーティとユーザとの間の双方向通信を確立するようにさらに構成されている。
【００２７】
［００２７］様々な実施形態が記載され、相互作用ユニットは、ユーザから音声入力を受信するように構成されたマイクロホンと、ユーザに音声出力を提示するように構成されたスピーカとを含み、通信ユニットは、受信した音声入力に基づいて音声入力データを送信し、提示された音声出力が基づく音声出力データを受信するように構成されている。
【００２８】
［００２８］様々な実施形態が記載され、相互作用ユニットは薬剤収納ケースの観測された環境に基づいて映像入力を生成するように構成されたカメラを含み、通信ユニットは生成された映像入力に基づいて映像入力データを送信するように構成されている。
【００２９】
［００２９］様々な実施形態が記載され、相互作用ユニットの少なくとも一部は着脱式のユニットとして形成され、着脱式のユニットは薬剤収納ケースの本体から取り外され、本体内のプロセッサ及び通信ユニットの少なくとも一つと通信するように構成されている。
【００３０】
［００３０］様々な実施形態は、ローカルユーザに薬剤を分配するように構成された機構と、ネットワークを介して少なくとも一つのリモートデバイスと通信するように構成された接続ユニットと、ローカルユーザから入力を受信し、ローカユーザに出力を提示するように構成された相互作用ユニットと、接続ユニットとを含み、相互作用ユニットは、薬剤を分配する要求を示すユーザ入力に基づいて所定のリモートデバイスとの双方向の通信セッションを確立し、相互作用ユニットを介して受信した入力に基づいて双方向の通信セッションを介してリモートパーティに入力データを送信し、相互作用ユニットを介して、双方向の通信ンセッションを介してリモートパーティから受信した出力データに基づいてローカルユーザに出力を提示する。
【００３１】
［００３１］様々な実施形態は、薬剤収納ケースによって実行される方法に関し、方法は、薬剤収納ケースから薬剤を分配する要求をローカルユーザからの受信し、受信した要求に応じ、所定のリモートデバイスとの双方向の通信セッションを確立し、ローカルユーザからの入力を受信し、受信された入力に基づいて双方向の通信セッションを介してリモートパーティに入力データを送信し、双方向通信セッションを介して出力データを受信し、受信した出力データに基づいてローカルユーザに出力を提示し、ローカルユーザに薬剤を分配することを含む。
【００３２】
［００３２］様々な実施形態は、薬剤収納ケースによって実行する命令で符号化された非一時的な機械可読の媒体に関し、非一時的な機械可読の媒体は、ローカルユーザへの薬剤を分配する命令と、薬剤を分配するローカルのユーザの要求を受信する命令と、ローカルユーザの要求に応じて所定のリモートデバイスとの双方向の通信セッションを確立する命令と、受信した入力に基づいて双方向の通信セッションを介してリモートパーティに入力データを送信する命令と、双方向の通信セッションを介して出力データを受信する命令と、受信した出力データに基づいてローカルユーザに出力を提示する命令とを含んでいる。
【００３３】
［００３３］様々な実施形態が記載され、相互作用ユニットはマイロホン及びスピーカを含み、受信した入力はマイクロホンを介して受信した音声入力を含み、提示する出力はスピーカを介して提示する音声出力を含んでいる。
【００３４】
［００３４］様々な実施形態が記載され、相互作用ユニットはカメラを含み、受信した入力はカメラで撮影された映像入力を含んでいる。
【００３５】
［００３５］様々な実施形態は、収納ケースアッセンブリの本体から着脱するように構成されている着脱式のモジュールを追加で含み、着脱式のモジュールは、相互作用ユニットの少なくとも一部と、入力に基づく入力データ及び出力が本体に基づく出力データの少なくとも一つを交換するように構成された無線通信インターフェースとを含んでいる。
【００３６】
［００３６］様々な実施形態が記載され、プロセッサは、接続ユニットを介して、薬剤を分配する命令を受信するようにさらに構成されている。
【００３７】
［００３７］様々な実施形態が記載され、接続ユニットは、コンピュータネットワークと及び基本電話システム（ＰＯＴＳ）を介した接続を提供し、コンピュータネットワークを介して双方向の通信セッションが確立され、プロセッサは、薬剤を分配する要求を示すユーザ入力に応じ、ＰＯＴＳを介して緊急出動に通話を確立するようにさらに構成されている。
【００３８】
［００３８］様々な実施形態が記載され、プロセッサは、緊急出動との音声セッションを確立することに代わって緊急出動に予め決定された情報を送信するようにさらに構成されている。
【図面の簡単な説明】
【００３９】
【図１】［００３９］様々な例示的な実施形態をより理解するために、添付の図面を参照する。［００４０］図１は、例示的な薬剤収納ケースを示している。
【図２】［００４１］図２は、薬剤収納ケースの例示的な構成要素のブロック図を示している。
【図３】［００４２］図３は、薬剤収納ケースの例示的な構成要素の例示的な概略図を示している。
【図４】［００４３］図４は、薬剤を収容する例示的なスリーブを示している。
【図５】［００４４］図５は、スリーブを選択的に保持及び解放する例示的なアクチュエータを含む例示的な薬剤収納ケースの断面を示している。
【図６】［００４５］図６は、薬剤収納ケースを介して緊急サービスに連絡する例示的な方法を示している。
【図７】［００４６］図７は、リモート命令に応じて薬剤へのアクセスを許可する例示的な方法を示している。
【図８】［００４７］図８は、薬剤収納ケースの例示的なネットワーク環境を示している。
【図９】［００４８］図９は、医師デバイス又は管理センターデバイスのための例示的なハードウェア図を示している。
【図１０】［００４９］図１０は、薬剤収納ケースの第１の代替実施形態を示している。
【図１１】［００５０］図１１は、薬剤収納ケースの第１の代替実施形態の断面を示している。
【図１２】［００５１］図１２は、薬剤収納ケースの第２の代替実施形態を示している。
【図１３】［００５２］図１３は、薬剤収納ケースの第２の代替実施形態の断面を示している。
【図１４】［００５３］図１４は、薬剤貯蔵ケースの第３の代替実施形態を示している。
【図１５】［００５４］図１５は、薬剤貯蔵ケースの第４の代替実施形態を示している。
【図１６】［００５５］図１６は、薬剤収納ケースの第５の代替実施形態を示している。
【発明を実施するための形態】
【００４０】
［００５６］患者が常に身に着けるような薬物治療を提供するという緊急計画は、しばしば有効であるが、完全な解決策ではない。患者が緊急事態に対処するための適切な薬物治療へのアクセスがないことがある多くの状況がある。例えば、患者の状態がまだ診断されていない場合は、事前に緊急薬物治療やデバイスを処方する機会がない。他の例として、患者が子供であるか、そうでなければ薬物治療又はデバイスの使用に監督又は指導を必要とする場合は、患者は実際に処方箋を持たず、そのために利用できないことがある。また、投与のための適切な監督が利用できないことがある。このような特殊な状況以外では、患者は処方箋を単に忘れているか、又はそうでなければ、現在、緊急時に現に処方された薬物治療又はデバイスを持っていないことがある。少なくともこれらの理由により、緊急時に適切な処方された薬物治療又はデバイスを提供する代替又は補足の解決策の必要性が存在する。
【００４１】
［００５７］以下でより詳細に説明するように、様々な実施形態は、待機している医師のようなリモートオペレータからローカルな患者又は他のユーザによる使用のために薬剤を解放する命令を受信するまで、収納する薬剤へのアクセスを制限する薬剤収納ケースを含んでいる。リモートオペレータが、収納ケースから薬剤を分配することが適切であるかどうか及びいつ適切であるかを適切に決定することができるように、収納ケースはリモートオペレータとの双方向通信を追加で容易にする。この通信を通じ、リモートオペレータは、薬剤が分配されるべきかどうかを決定するのに十分な患者及び状況に関する情報を取得してもよい。
【００４２】
［００５８］本明細書で提示される記載及び図面は、様々な原理を説明している。当業者は、本明細書に明示的に記載されたり又は示されたりはしていないが、これらの原理を具現化し、本開示の範囲内に含まれる様々な配置を工夫することができるであろうことを理解するであろう。本明細書中で使用されるように、用語「又は」は、本明細書中で使用されるように、特に明記しない限り（例えば、「又は他に」又は「又は代替的に」）、非排他的な又は（すなわち、又は）を指す。さらに、本明細書に記載の様々な実施形態は、必ずしも相互に排他的ではなく、本明細書に記載の原理を組み込んだ追加の実施形態を作成するために組み合わせてもよい。本明細書に記載される方法及びデバイスは、薬物治療、医療デバイス、及びそれらの組合せを分配するために使用することができることは明らかであろう。したがって、本明細書で使用する用語「薬剤」は、薬物治療、医療デバイスの両方を包含することが理解されるであろう。また、医療分野の他の物質、デバイス、及び他の項目へのアクセス制御を提供するために使用することができる本明細書に記載の様々なデバイスと理解されるであろう。
【００４３】
［００５９］ここで図面を参照すると、同様の符号は同様の構成要素又はステップを指し、様々な例示的な実施形態の広範な様相が開示されている。
【００４４】
［００６０］図１は、例示的な薬剤収納ケース１００を示している。本明細書で開示された薬剤収納ケースの様々な実施形態は、典型的なケース１００を含み、医療管理システムと証されることもある。示されるように、収納ケース１００は、ケース本体１１０と、ヒンジ１２２ａ、１２２ｂとによって取り付けられたドア１２０とを含んでいる。ケース本体１１０は、ケース本体１１０の前面の開口を介してアクセス可能である内部領域１４０を含んでいる。様々な実施形態では、収納ケース１００は、壁又は他の構造に取り付け可能である。このように、収納ケースは、このような取り付けを達成するのに十分な取付具を含んでもよい。例えば、ケース本体１１０の後面は、壁にネジ止めされるボルトのボルトヘッドを受容する凹部を含んでもよい。別の例として、取付具は、壁にネジで取り付けられ、ケース本体の後面１１０にフック、クリップ、又は他の方法で取り付けられる別個の取付構造を含んでもよい。構造に収納ケース１００を取り付ける取付具の他の様々な種類は明らかであろう。様々な実施形態では、ケース本体の後面、底面、又は他方の面には、電源、ネットワーク、及び電話接続のようなコネクタを含んでもよい。
【００４５】
［００６１］ケース本体の底は下部棚１４２を形成し、その上に、分配された薬剤１３０がユーザによる取出しの以前に載置されている。分配される前、薬剤１３０は、ローカルユーザがアクセスできないか、アクセス可能であるが困難である内部領域１４０の別の領域に保持されている。例えば、薬剤１３０は、開口及び下部棚１４２の上の内部領域１４０の一部に保持され、収納ケース１１０の前面の背後に隠されていてもよい。様々な実施形態では、収納ケース１００は、複数の薬剤を収納及び分配するように構成され、それらは互いに異なっていてもよい。例えば、いくつかの実施形態では、収納ケースは、エピネフリン自動注射器の大人及び子供の製剤の両方を分配することができ、それらは、製品の箱のような様々なパッケージング内に入っていてもよい。
【００４６】
［００６２］分配の前に薬剤を保持するため、収納ケース１００は、薬剤ロック（図示せず）又はドア（図示せず）のような他のロック可能な保持構造を含んでもよい。あるいは、図示されたドア１２０は、閉じた位置でロック可能であってもよい。様々な例示的な薬剤ロック及び他の保持構造は、以下でより詳細に説明される。使用される特定の保持構造にかかわらず、様々な実施形態において、保持構造はプロセッサ（図示せず）によって制御されたアクチュエータ（図示せず）によってロック状態からロック解除状態に電子的に移動可能であり、プロセッサは、リモートサイトからの保持構造をロック解除する指令を受信することにしたがって動作してもよい。例えば、分配命令を含むインターネットパケットのような、ロック解除信号を受信すると、プロセッサはアクセス信号をアクチュエータに送信してもよく、アクチュエータは、今度は、保持構造をロック解除する。保持構造がロック解除状態になると、薬剤はデバイスからの取出しが解放されてもよく、又はユーザがロック解除された保持構造を手動で操作して（例えば、ロック解除されたドアを開き）薬剤を解放するようにしてもよい。
【００４７】
［００６３］収納ケース１００は、ローカルユーザと通信する複数の入力／出力デバイスも含んでいる。図に示すように、収納ケースは、「進む」ボタン１１１及び「停止」ボタン１１２を含んでいる。進むボタン１１１を押すと、収納ケース１００は、通信ユニット（図示せず）を介してリモートサイトとの双方向の通信セッションを開始してもよい。通信セッションは、ローカルユーザ及びリモートオペレータが会話できるようなマイクロホン１１４及びスピーカ１１５を介した音声通信を含んでもよい。停止ボタン１１２は、通話を終了させるように、又はそうでなければ、ローカルユーザが進むボタン１１２を押下すると収納ケース１００によって実行されたすべてのプロセスを停止させるように構成されてもよい。
【００４８】
［００６４］ディスプレイ１１３は、様々な目的のために提供されてもよい。例えば、ディスプレイは、リモートサイトとローカルユーザとの間の双方向の通信セッションの一部として、カメラ（図示せず）と一緒に映像フィードを容易にすることができる。あるいは、ディスプレイ１１３は、収納ケース１００又はリモートオペレータによって実行されている現在のアクションについて、薬剤の使用説明又は状態更新などの様々な情報をローカルユーザに示してもよい。このように、表示された情報は、ローカルに格納されているか、又はリモートサイト若しくは他の場所から受信されたものでもよい。様々な実施形態では、ディスプレイ１１３に表示された情報は、医師のようなモートオペレータによって制御されている。いくつかの実施形態では、ディスプレイ１１３はタッチスクリーン入力を含んでいる。このような実施形態では、ディスプレイ１１３は、進む及び停止ボタン１１１、１１２の代わりに、又は加えて、ソフトボタンを含んでもよい。タッチスクリーンディスプレイ１１３は、パスワードの入力、キーカードのスワイプ、又は他の認証プロセスを介してアクセス可能な管理インターフェースを提供し、認証されたユーザに記録された情報への、又は分配された若しくは期限が切れた薬剤を置き換えるように内部区画へのアクセスを提供するために使用されてもよい。
【００４９】
［００６５］収納ケース１００のステータスは、代替又は追加の方法で通信してもよい。例えば、図示されるように、収納ケース１００は複数のステータス灯１１６を含んでいる。ステータス灯は、電源投入若しくはブート状態のようなシステム情報、又は通話中であるかどうか若しくは薬剤が分配されたかどうかのようなプロセスフロー情報を通信してもよい。ステータス等１１６の様々な他の仕様は明らかであろう。
【００５０】
［００６６］様々な実施形態では、収納ケースの動作を制御する電子機器は、バッテリ、電源、又は他の電源を介して絶えず電力が供給されてもよい。他の実施形態は、エネルギー消費を削減する省電力機能を実装してもよい。例えば、不使用の期間、収納容器１００の電子機器はオフにされるか、又は「スリープ」モードにされてもよい。ローカルユーザによって作動すると、これらの電子機器は、関連する機能を実行するために電源オン又は起動されてもよい。例えば、ドア１２０を開き、進むボタンを押すか、又は別の「電源」ボタンを押すことが、電源投入を始動又は電子機器を起動するように構成されてもよい。様々な他の省電力機能は、明らかであろう。
【００５１】
［００６７］薬剤が分配されると、収納ケース１００にはサービス担当者によって追加の薬剤が補充されてもよい。いくつかの実施形態では、補充はケース１００を開くことによって達成されるが、他の実施形態では、サービス担当者はケースを開くことなく前方開口製品アクセス領域を通じてケースを直接に補充してもよい。（例えば、ケースを開く）特定のサービスへのアクセスを必要とせずに補充する様々な代替方法は、図１６に関して以下に説明するように、例えば、ケースの上部のスロットを通じて薬剤を積み込むような利用されてもよい。
【００５２】
［００６８］図２は、薬剤収納ケースの例示的な構成要素の例示的なブロック図２００を示している。様々な実施形態では、ブロック図は、図１の例示的な収納ケース１００の様々な電子的な及び機械的な構成要素を表している。
【００５３】
［００６９］図示されているように、ブロック図２００は、電子サブシステム２１０、機械サブシステム２４０、及び多数の追加の構成要素２５０から２６６を含んでいる。電子サブシステム２１０は、プロセッサ２１２及び様々な支援する電子部品２１４から２３２を含んでいる。プロセッサ２１２は、例えば、マイクロプロセッサ、フィールドプログラマブルゲートアレイ（ＦＰＧＡ）、又は特定用途向け集積回路（ＡＳＩＣ）のように本明細書において記載された機能を調整することができる実質的に任意のデバイスを含んでもよい。様々な実施形態において、プロセッサ２１２は、ＡＲＭアーキテクチャのマイクロプロセッサである。
【００５４】
［００７０］プロセッサ２１２は、ＳＤカードインターフェース２１６並びにオンボードプログラム及びデータメモリ２２４、２２６を含むメモリ／データストレージの様々な形態へのアクセスを備えている。プログラムメモリ２２４は、図６から７に関して記載された例示的な方法のように、本明細書に記載された様々な方法を実行する際にプロセッサに指令するソフトウェア命令を格納している。例えば、プログラムメモリ２２４は、適切なデバイスドライバ、リアルタイムトランスポートプロトコル（ＲＴＰ）スタック命令、セッション開始プロトコル（ＳＩＰ）スタック命令、直接アクセス配置（ＤＡＡ）スタック命令、及びＱｔグラフィカルユーザインターフェース（ＧＵＩ）を提供する命令を有するＬｉｎｕｘ（登録商標）カーネルのようなオペレーティングシステムを格納してもよい。また、プログラムメモリ２２４は、ドア開放／閉鎖、ウォッチドッグリセット、ファクトリリセット、ファームウェア更新、製造モードへのエントリは、ステータス／レポート、及び障害通知のような着信イベントに応じイベントハンドラ命令を格納してもよい。プログラムメモリ２２４は、アドバンストＬｉｎｕｘ（登録商標）サウンドアーキテクチャ（ＡＬＳＡ）ライブラリ、ソフトウェアコーデック命令、及びエコー／ノイズキャンセルアルゴリズムのような様々の音声構成要素も格納してもよい。
【００５５】
［００７１］データメモリ２２６は、プロセッサによって使用され、収納ケース、位置情報、又は温度情報のログの使用に関するログデータのような様々なデータを格納してもよい。データメモリ２２６又はＳＤ若しくは他のメモリカードに格納する様々な他のデータは、本明細書の記載から明らかになるであろう。代替的に又は追加で、ＳＤ又は他のメモリカード２１６が使用され、ブートアップ命令、ファームウェアイメージ、アクティビティログ、事前定義された情報及びメッセージ、並びに他の情報を格納してもよい。
【００５６】
［００７２］電子機器サブシステム２１２は音声コーデックのような音声インターフェース２１４を含み、プロセッサが、スピーカ２５０、ヘッドセット２５２、又はマイクロホン２５４のような様々な音声デバイスを介して音声を受信して出力することができるようにしている。同様に、電子機器サブシステム２１０はタッチスクリーンインターフェース２１８を含み、タッチスクリーンデバイス２５６に対し、視覚的データを出力し、タッチ入力を受信するようにしている。ステータスＬＥＤ２５８又は押ボタン２６０のような様々な他の入力／出力デバイスについて、電子機器サブシステム２１０は汎用入力／出力（ＧＰＩＯ）インターフェース２２０を提供している。
【００５７】
［００７３］プロセッサ２１２は、様々な外部デバイスへのアクセスも有してもよい。例えば、インターネット又は他のネットワークを介して他のデバイスに接続するために、電子機器サブシステム２１０は、イーサネット（登録商標）又はＷｉＦｉ２６２のような様々な媒体を介して通信する物理ネットワークインターフェース（ＰＨＹ）を含んでいる。また、電子機器サブシステム２１０は基本電話システム（ＰＯＴＳ）インターフェース２２８を含み、固定電話２６４を介した通話の確立を可能にしている。システムのデバッグ及び他の保守を有効にするため、電子機器サブシステム２１０はＲＳ−２３２シリアルインターフェースを含み、それに、非同期レシーバ／トランスミッタ（ＵＡＲＴ）を有するデバイスが取り付けられてプロセッサと命令及びデータを交換してもよい。
【００５８】
［００７４］電子機器サブシステム２１０は、機械サブシステム２４０と通信する内蔵Ｉ／Ｏインターフェース２３０も含んでもよい。様々な実施形態では、内蔵Ｉ／Ｏインターフェース２３０は単にＧＰＩＯインターフェース２２０を利用してもよい。機械サブシステム２４０は二つのデバイスを含んでいる。スイッチ、ボタン、近接センサ、又は動き検出器のようなドア開放検出デバイスは、ドアが開放されたときに内蔵Ｉ／Ｏインターフェース２３０に信号を送るように配置されてもよい。様々な実施形態において、この信号は、電子機器サブシステム２１０の電源投入又は始動に使用されてもよい。ソレノイドインターフェース又は他のアクチュエータインターフェースのような薬剤のロック／ロック解除機構２４４は、内蔵Ｉ／Ｏインターフェース２４４を介してプロセッサ２１２からのアクセス信号を受信する。信号などを受信すると、薬剤のロック／ロック解除機構２４４は、以下でより詳細に説明されるように、薬剤が分配されるようにする。
【００５９】
［００７５］図３は、薬剤収納ケースの例示的な構成要素の例示的な概略図３００を示している。様々な実施形態において、概略図３００は、例示的な収納ケース１００の様々なシステムを記述してもよいし、図２のブロック図２００のより詳細な実施形態を例示してもよい。
【００６０】
［００７６］図示のように、システムはプロセッサ３１０の周囲に配置され、それは、上述のように、マイクロプロセッサ、ＦＰＧＡ、ＡＳＩＣ、又は記載された機能を実行することができる他の任意デバイスであってもよい。プロセッサ３１０は、いくつかのオンボードメモリを含んでもよく、ＳＤカードコネクタ３１１、及びＥＥＰＲＯＭ３１４、ＤＤＲ３メモリ３１５、及びＮＡＮＤフラッシュメモリ３１６のような他の形式のメモリにアクセスを追加で有してもよい。プロセッサ３１０は、セキュアデジタル入出力（ＳＤＩＯ）バスを介してＳＤカードコネクタ３１１と通信してもよい。様々なデータ及び命令は、これらのメモリデバイス間に格納されてもよい。また、より少ない又は追加のメモリデバイス、及び図示したものとは異なるタイプのメモリデバイスが、利用されてもよいことは明らかであろう。
【００６１】
［００７７］プロセッサはまた、その他のやり方で説明したサブシステムに属さない他のデバイスを利用してもよい。例えば、様々な実施形態において、システム３００は、リアルタイムクロックチップ３１２によって報告された日時に基づいて、使用のログを保持してもよい。いくつかの実施形態では、プロセッサ３１０は、温度センサ３１３によって報告された薬剤又は周囲の温度のログを取ったり又は監視したりしてもよい。いくつかの実施形態では、温度センサ３１３は、プロセッサ３１０又は他のチップ（図示せず）によって使用して薬剤が曝される温度を調節してもよい。例えば、収納ケースは、内部の温度を制御するファン又は他のデバイスを備えてもよい。プロセッサ３１０は、ある所定の閾値よりも高い温度又は時間温度読取値を報告した温度センサ３１３に応じ、ファンを制御するような実施形態で構成されてもよい。このような特徴は、収納ケースが携帯型であるか、又はそうでなければ一貫しない気候に供してもよい実施形態において特に有用であってもよい。また、上述したように、プロセッサ３１０は、ＲＳ２３２送信機３１７及びコネクタ３１８を介して他のデバイスにデバッグ又は保守インターフェースを提供してもよい。
【００６２】
［００７８］説明したように様々な実施形態では、ドアが開放されたことの検出に応じ、システム３００の電源が投入されるか又は始動されてもよい。そのような機能を提供するため、ドア開放検出モジュール３２０は  、ドアが閉鎖位置から動いたことを検出する一つ以上の近接センサ３２２を含んでいる。このような情報は、一つ以上のＧＰＩＯラインを介してプロセッサに送信されてもよい。様々な代替実施形態では、近接センサ３２２は、電源ボタン又は進む・停止ボタン３４１専用のような他のデバイスに置き換えられてもよい。
【００６３】
［００７９］音声通信を容易にするため、音声対話ユニット３３０はプロセッサ３３０と通信する。すなわち、音声対話ユニット３３０は、マルチチャネルオーディオシリアルポート（ＭｃＡＳＰ）及び集積回路間（Ｉ２Ｃ）バスを介してプロセッサ３１０とデータを交換する音声コーデック３３２を含んでいる。音声コーデック３３２は、今度は、ヘッドセット３３４及びスピーカ３３６を介してプロセッサ３１０から受信した音声データをレンダリングし、マイクロホン３３８を介して受信されたアナログ音声データをデジタル化する。理解されるように、プロセッサは、音声データのパススルーとして単に作用してもよく、音声対話ユニットと接続ユニット３５０との間のデータの交換を可能にしている。他の実施形態では、音声対話ユニット３３０は、接続ユニット３５０に直接接続されてもよく、それによって、そのようなデータを処理するプロセッサ３１０なしでデータがリモート位置で転送できるようにしている。例えば、音声対話ユニット３３０は、ＲＪ−１１コネクタを介してアナログ音声データを送受信してもよい。いくつかの実施形態では、そのような直接接続は、プロセッサ３１０によって選択的又は無効にされてもよい。
【００６４】
［００８０］ローカルユーザ相互作用の追加のタイプについて、システム３００は、様々な入力及び出力デバイスを含むユーザインターフェースユニット３４０を含んでいる。例えば、ユーザインターフェースユニット３４０は、システムをリモートサイトに接続する動作を始動又は中断する進む・停止ボタン３４１を含んでもよい。このように、進む・停止ボタン３４１は、一つ以上のＧＰＩＯチャネルを介してプロセッサ３１０に信号を提供してもよい。同様に、プロセッサは、一つ以上のＧＰＩＯチャネルを介して信号を送信することによって、ステータス及びアクティブＬＥＤ３４３を照明するように構成されてもよい。
【００６５】
［００８１］ユーザインターフェースユニット３４０は、液晶ディスプレイ３４５と及び統合されたタッチスクリーン３５７も含んでいる。プロセッサ３１０は、メモリデバイス３１１、３１４、３１５、３１６間に格納された予め定義された命令又は接続モジュール３５０を介して受信した情報のような視覚的データを液晶ディスプレイ３４５に表示インターフェースを介して出力してもよい。プロセッサ３１０は、タッチスクリーンインターフェースを介して、タッチスクリーン３４７によって受信された入力も受信する。様々な実施形態は、ＬＣＤディスプレイ３４５、進む・停止ボタン３４１、又は他の構成要素へのバックライトを制御するバックライトドライバ３４９を提供することによって、低照度条件においてシステムの使用を容易にすることもできる。プロセッサは、パルス幅変調チャネルを介してバックライトドライバ３４９に対して所望のバックライトの強度の指示を送信してもよい。
【００６６】
［００８２］プロセッサ３１０は、接続モジュール３５０を介してリモートデバイスと通信する機能を有している。図示すように、接続モジュール３５０は、三つの通信のチャネルを提供している。より少ない又は追加の通信チャネルがサポートされてもよいことが理解されるであろう。第１のチャネルとして、接続モジュールは、ＲＪ−４５接続のようなイーサネット（登録商標）コネクタ３５３を介して有線ネットワーク通信を可能にするイーサネット（登録商標）ＰＨＹチップ３５１を含んでいる。プロセッサ３１０は、メディア独立インターフェース（ＭＩＩ）を介してイーサネット（登録商標）ＰＨＹチップに対してデータを転送してもよい。第２のネットワークのチャネルを提供するため、接続モジュール３５０は、アンテナとＷｉＦｉ  ＰＨＹチップを含むＷｉＦｉ  ＬＡＮモジュール３５５を含んでいる。プロセッサ３１０は、ＳＤＩＯバスを介してＷｉＦｉ  ＬＡＮモジュール３５５に対してデータを転送してもよい。接続モジュール３５０によって設けられた第３のチャネルは、固定電話のＰＯＴＳ接続である。このように、接続モジュール３５０は、ＲＪ−１１コネクタ３５９を介して電話回線と通信する音声直接アクセス配置（ＤＡＡ）チップセット３５７を含んでいる。プロセッサ３１０は、ＳＰＩバス及びＭｃＡＳＰを介して音声ＤＡＡチップセット３５７と通信してもよい。
【００６７】
［００８３］薬剤を解放させるため、プロセッサ３１０は、薬剤デバイス分配回路３６０と通信している。特に、プロセッサ３１０は、一つ以上のソレノイドインターフェース３６２、３６４又は薬剤を分配する他のインターフェースと通信してもよい。様々な実施形態において、プロセッサ３１０は、汎用ＩＯチャネルを介してソレノイドインターフェース３６２、３６４のそれぞれと通信する。
【００６８】
［００８４］いくつかの実施形態では、様々な電子回路は、自己診断又はフィードバック機能を含んでもよい。例えば、自己診断又はフィードバックの方法は、ソレノイドループの状態を監視するため、バッテリの劣化を監視するため、又は他の重要な機能を監視するために使用されてもよい。このような機能を実現するための方法は、明らかであろう。
【００６９】
［００８５］例示的なシステム３００を実施する際に使用してもよいいくつかのデバイスが省略されてもよいことが理解されるであろう。例えば、システムの実装では、電話回線トランスレータは音声ＤＡＡチップセット３５７とＲＪ−１１コネクタとの間に配置されてもよく、又は磁石がイーサネット（登録商標）ＰＨＹチップ３５１とイーサネット（登録商標）コネクタ３５３との間に設けられてもよい。また、追加の通信のラインは、様々なチップとの間に設けられてもよい。例えば、プロセッサ３１０は、表示データに加えて、有効又は読取／書込信号のような各種信号も液晶ディスプレイ３４５に追加で送信してもよい。省略されている様々な追加の実装の詳細は、明らかであろう。
【００７０】
［００８６］述べたように薬剤は、包装あり又は包装なしで分配してもよい。いくつかの実施形態では、薬剤の保持及び解放は、薬剤を収納又は保持し、又は薬剤ロックと係合する他の構造的特徴若しくは収納ケースの他の保持構造を提供する別個のスリーブ、ケース、又は他のデバイスによって容易にされてもよい。図４は、薬剤を収容する例示的なスリーブ４００を示している。スリーブ４００は、実質的に任意の材料で作成してもよく、いくつかの実施形態では、アクリロニトリルブタジエンスチレン（ＡＢＳ）プラスチック又は十分に強く落下力に耐え又は吸収して内部に収容された薬剤の完全な状態を維持する他の材料で形成されてもよい。スリーブは、中空スリーブ本体４１０と、少なくとも一端部に近い少なくとも一つの開口４２０と、及び本体４１０の上面から延びるレール４３０とを含んでいる。開口は、薬物を包装する箱を受け入れるサイズである。例えば、二つのエピネフリンペンを含む標準的な市販の箱の包装は、開口４２０を通じて挿入され、本体４１０内に受け入れられてもよい。レール４３０は、収納ケースの薬剤ロック又は他の保持構造に係合するように設けられ、その例は図５に関して以下で説明する。
【００７１】
［００８７］スリーブ４００は一例であり、様々な代替構造が使用されてもよいことは明らかであろう。例えば、スリーブは開口４２０を含まなくてもよく、その代わりに、スリーブが開いてもよいように本体の二つの部分の間にヒンジの係合を含んでもよい。別の例として、レール４３０は、円形ループ、磁石、又は使用される特定の保持構造に係合するために適した他の構造若しくは材料に置き換えられてもよい。また、本体４１０は、異なる形状であってもよい。例えば、薬剤を包装なしで配される場合、本体４１０は、代わりに、薬剤を収納するように構成された円形スリーブ又は他の形状であってもよい。いくつかの実施形態では、本体４１０は省かれてもよく、レール４３０又は他の係合構造は、接着剤、ねじ、若しくは他の取付具を介して薬剤又は薬剤の包装に直接取り付けられてもよく、薬剤又は包装と一体に形成されてもよい。様々な追加の修正が明らかであろう。
【００７２】
［００８８］図５は、図１の例示的な薬剤収納ケース１１０の断面５００を示し、側面から見て、スリーブを保持及び解放する例示的なアクチュエータを含んでいる。ケース本体１１０は、その間に内部領域１４０を形成する前面及び後面を提供している。
【００７３】
［００８９］スリーブ４００は、薬剤１３０を含み、スリーブレール４３０によって内部領域１４０内に吊り下げられている。図に示すように、フック５１０は、スリーブ４００がフック５１０から吊り下げられるようにレール４３０の下に受け入れられている。フック５１０は、ピボット点５１２で適所に保持されている。例えば、ロッド、ピン、又は他の構造は、ピボット点５１２でフック５１０を通じて挿入されてもよく、それによって、図５の視点から見て、フックを時計回り又は反時計回りに回転することを可能にしている。スリーブ４００及び薬剤１３０の重量はフックを時計回りに回転させる傾向があり、見られるように、フック５１０が回転して十分に時計回りに離れると、レール４３０はフック５１０から外れるかもしれない。フック５１０による支持がなくなると、ユーザによる取出しのためにスリーブ４００は落下して株棚に届く。フック５１０でのスリーブ４００の下向きの力に対抗するため、フック５１０の頂部とケース本体１１０との間に十分な強度のばねが配置されている。このように、他の外部の力がフック５１０に作用していないとき、フックは、スリーブ４００を吊り下げて保持している。
【００７４】
［００９０］保持構造（例えば、フック５１０及びスプリング５１４）を開放させるため、ソレノイド５６２及びソレノイドコントローラ３６２を含むアクチュエータが設けられている。上述したように、ソレノイドコントローラ３６２は、プロセッサからのアクセス信号を受信し、これに応じて、ソレノイドシリンダを前に移動し（図５の視点から右へ）、フック５１２に第３の力をかけるのに十分な電流をソレノイド５６２に通して送る。ソレノイド５６２の力は、スリーブ４００及び薬剤１３０の下向きの力と共に、バネ５１４の力に対抗し、それによって、フック５１０にスリーブ４００を回転させて解放させるために十分に大きい。
【００７５】
［００９１］図５の配置は、薬剤を分配する保持構造及びアクチュエータの一例に過ぎないものであり、多数の追加の構成が可能であることは明らかであろう。例えば、スリーブ４００は、ソレノイドシリンダから直接に吊り下げられ、それは、ソレノイドコントローラ３６２によって作動されるとスリーブ４００との係合から解放される。このような実施形態では、ソレノイド５６２の構成要素は、保持構造及びアクチュエータの両方として働いてもよい。同様に、いくつかの実施形態では、ソレノイドシリンダは、スリーブ４００との係合から直線的に動いて解放される他の非ピボット構造と接するか、又は共に形成されてもよい。スリーブ４００又は薬剤１３０を吊り下げる別の代替例として、スリーブ４００又は薬剤１３０もそれに沿って移動可能なプラットフォームに載置されてもよい。作動されると、スリーブ４００又は薬剤１３０が支持されることがなくなり、下部棚１４２に落下するように、プラットフォームは後退又は旋回してもよい。
【００７６】
［００９２］また、様々な配置がソレノイド以外のアクチュエータを使用してもよいことが理解されるであろう。例えば、サーボモータ又はステッピングモータが、フック５１０又はプラットフォームの角度位置を制御するために用いられてもよく、一つ以上の結合構造を介して他の保持構造を直線的に後退させる（例えば、直線的に取り付けられたケーブルを巻き取る）ために用いられてもよい。別の例として、保持構造は電磁石であり、アクチュエータは磁石の電源を切断するように適合されたコントローラであり、それによって、スリーブ４００又は薬剤１３０を解放するものであってもよい。様々な他のタイプのアクチュエータは明らかであろう。
【００７７】
［００９３］さらに様々な他の保持構造及びアクチュエータの配置は、ユーザがアクセス可能な領域に薬剤を落とすことによって薬剤を提供しないことに利用されてもよい。例えば、薬剤１３０は、薬剤１３０の周囲に配置されたリング又はクランプによって収納ケースにロックされてみよく、それは、適切なアクチュエータによって開放されてもよい。別の例として、薬剤１３０は、ロックされたドアの後ろ（例えば、第１のドア１２０の後にある第２のドア、進むボタン１１１のような制御も第１のドアの後ろに格納されていない実施形態における第１のドア１２０の後ろ）、又はロックされた引き出しの中に収納されていてもよい。そのような実施形態におけるアクチュエータはそのようなドア又は引き出しを開くように働いてもよく、ユーザにドア又は引き出しを開放してアクセスすることを可能にしている。したがって、いくつかの実施形態では、アクチュエータは、ユーザが解放の後で薬剤１３０を直接に取り出してもよいように薬剤１３０を能動的に開放させ、一方、他の実施形態では、アクチュエータは、ユーザが保持構造を手動で移動させて薬剤１３０にアクセスできるように薬剤１３０を受動的に解放させている。
【００７８】
［００９４］図６は、薬剤収納ケースを介して緊急サービスに連絡する例示的な方法６００を示している。方法６００は、プロセッサ２１２又はプロセッサ３１０のような、収納ケース１００のプロセッサによって実行されてもよく、そのようなプロセッサによる実行のためのプログラム命令として符号化されてもよい。
【００７９】
［００９５］方法６００はステップ６１０で開始し、プロセッサが進むボタンが押下されたという指示を受信するステップ６２０に進む。このようなボタンの押下は、ボタン１１１のような物理的な進むボタンを介し、又はディスプレイ１１３のようなタッチスクリーンディスプレイに表示することができるようなソフト進むボタンを介して検出されてもよい。様々な実施形態において、ステップ６２０はイベントハンドラでイベントを受信し、認識することで構成されている。
【００８０】
［００９６］次に、ステップ６３０で、プロセッサは、緊急出動への固定電話の通話を開始する。例えば、収納ケースが米国に位置している場合、プロセッサは、９１１緊急サービスに電話をかけるように構成されてもよい。緊急出動への接続中又は後に、プロセッサは、固定電話の通話を介して緊急出動に所定の情報の一組を送信する。例えば、プロセッサは、通話が薬剤収納ケースからであり、ローカルユーザとの間で音声セッションが確立されていないという指示、事前にプログラムされた又はその時にＧＰＳ又は他の手段を介して決定された収納ケースの位置を送信してもよい。緊急出動に送信する様々な追加又は代替の情報は明らかであろう。情報は、例えば、コンピュータレンダリングボイス音声、ファックスデータ、又はそうでなければアナログ電話信号に符号化したデータのような任意の形式で送信してもよい。
【００８１】
［００９７］次に、ステップ６５０で、プロセッサは、緊急出動以外の管理センターにボイスオーバーＩＰ（ＶｏＩＰ）の通話を開始する。例えば、管理センターは、収納ケース又はその中に収納された薬剤を提供し、維持し、又はそうでなければ関連している同一のエンティティによって操作されてもよい。なお、収納ケースは、位置又は収納ケースの識別子のような、様々な事前定義された情報も送信してもよい。次に、ステップ６６０で、プロセッサは、ローカルユーザが管理センターのオペレータと会話することができるように、音声コーデックとＶｏＩＰチャネルとの間で音声データを交換する。後述するように、管理センターのオペレータは、医師に電話を転送してもよく、その後で、ローカルユーザが医師と会話してもよい。ステップ６７０において、プロセッサは、ＶｏＩＰ通話を終了するか否かを判定する。例えば、プロセッサは、停止ボタンが押されているかどうか、又はＶｏＩＰの通話が他端から打ち切られているかを決定してもよい。そうでない場合、方法６００は、ステップ６６０にループを戻り、リモートサイトと音声データの交換を続行する。そうでない場合、プロセッサは、ステップ６８０でのＶｏＩＰチャネルを打ち切るように進み、方法はステップ６９０で終了する。
【００８２】
［００９８］また、方法６００は本明細書で説明されるシステム及び方法による薬剤収納ケースの動作の一例であり、様々な代替方法が使用されてもよいことが理解されるであろう。例えば、ステップ６７０は、通話を閉じるというイベントのイベントハンドラ及び検出を介して達成されてもよい。いくつかの実施形態では、緊急出動への通話がされないが、他の実施形態では、緊急出動が、薬剤の分配をリモートで制御し、又は通話を医師若しくは装備された他のエンティティに転送する装備がなされた９１１への通話のみがなされてもよい。他の実施形態では、この方法の様々なステップは並行して行われる。例えば、ステップ６２０は、二つのスレッドに分割されてもよく、第１のスレッドはステップ６３０、６４０を有し、及び第２のスレッドはステップ６５０からステップ６８０を有している。そのような実施形態では、二つの通話が同時にされてもよい。様々な他の変更は明らかであろう。
【００８３】
［００９９］図７は、リモートの命令に応じて薬剤へのアクセスを許可する例示的な方法７００を示している。方法７００は、プロセッサ２１２又はプロセッサ３１０のような、収納ケース１００のプロセッサによって実行されてもよく、そのようなプロセッサによる実行のためのプログラム命令として符号化されてもよい。
【００８４】
［００１００］この方法はステップ７１０で始まり、プロセッサが分配命令として機能するロック解除信号を受信するステップ７２０に進む。例えば、プロセッサは、薬剤を分配する命令を含むパケットを受信してもよい。ステップ７３０において、プロセッサは、命令から、分配される薬剤のインデックスを決定する。具体的には、ある実施形態では、収納ケースは、複数の異なる薬剤及び投与量を分配することが可能であり、利用可能な薬剤はインデックスが付けられていてもよい。例えば、成人のエピネフリン注射器セットは“０”とインデックスを付けることができ、子供のエピネフリン注射器セットは“１”とインデックスを付けることができる。ステップ７２０で受信された命令は、適切な薬剤のインデックスを直接に指定するか、又は分配する薬剤の特定のみであってもよく、この場合、プロセッサは、例えばルックアップテーブルによって同定された薬剤のインデックスを決定する。薬剤の単一のタイプのみを分配することができる実施形態では、ステップ７３０を省略してもよい。
【００８５】
［００１０１］ステップ７４０では、プロセッサは、適切な薬剤に関連したアクチュエータにアクセス信号を送信する。なお、このステップは、例えば、ルックアップテーブルを介してアクチュエータにインデックス又は薬剤を関連付けることを含んでもよい。アクセス信号を受信すると、アクチュエータはユーザによる取出しのために薬剤を解放する。様々な代替実施形態では、単一のアクチュエータが複数の薬剤の解放を制御することができ、このような実施形態では、プロセッサは、アクチュエータに所望の薬剤のインデックス又は他の識別情報を単に送信してもよく、それは、今度は、要求された薬剤を分配する適切な動作を決定する。
［００１０２］薬剤を調剤した後、プロセッサは、薬剤の映像説明を見つけたり、又はネットワークインターフェースを介してこのような説明を受信したりする。ステップ７５０において、プロセッサはディスプレイを介して説明を出力し、それによって、医師又は他のリモートオペレータに視覚的な説明を補充する。そして、方法７００は、ステップ７６０で終了に進む。
【００８６】
［００１０３］図８は、薬剤収納ケースの例示的なネットワーク環境８００を示している。上述のように、収納ケース１００の動作は、インターネット８１０又は他のネットワークを介した管理センターデバイス８２０又は医師デバイス８３０のようなリモートデバイスによって少なくとも部分的に制御されている。管理センターデバイス８２０又は医師デバイス８３０は、例えば、端末、パーソナルコンピュータ、タブレット、携帯電話、又は他のデバイスなど、実質的に任意のユーザデバイスであってもよい。
【００８７】
［００１０４］説明したように、ユーザによって作動されると、収納ケース１００は、管理センター８２０又は緊急出動（図示せず）などのリモートサイトへのＶｏＩＰ通話を開始する。管理センター８２０は、通話中に直ちに又はある時点で現場又は呼び出しの医師にＶｏＩＰ通話を転送してもよい。いくつかの実施形態では、管理センター８２０は、利用可能な医師デバイス８３０に自動的に通話を転送する電子出動として単に動作してもよい。このような実施形態では、管理センター８２０は、クラウドコンピューティング環境内でホストされてもよい。
【００８８】
［００１０５］コントロールセンター８２０又は医師デバイス８３０は、音声ＶｏＩＰコールを容易にすることに加え、リモートオペレータに収納ケース１００で一つ以上の薬物をリモートで解放する能力も提供してもよい。例えば、医師デバイス８３０は、医師と収納ケースとの間での療法に音声データを通信するモバイルアプリを実行し、医師に二つのボタンを提示してもよく、一つのボタンは大人の剤形のエピネフリン注射器を分配し、一つのボタンは子供の剤形のエピネフリン注射器を分配する。このようなボタンによって、医師デバイスが、管理センター８２０を介して、又は管理センター８２０を通らないで直接にインターネット８１０を介して、収納ケース１００に分配命令パケットのような解放信号を生成して送信するようにしてもよい。同様の機能は、管理センター８２０に設けてもよい。
【００８９】
［００１０６］様々な修正や追加機能は明らかであろう。例えば、管理センター８２０又は医師デバイス８３０は、収納ケース１００と片方向又は双方向の映像フィードを支持するようにさらに構成されてもよい。別の代替例として、管理センター８２０又は医師のデバイス８３０は、リモートオペレータに、収納ケース１００のディスプレイデバイスに表示されるテキスト又はグラフィックスを選択するか又は送信することを可能にしてもよい。また、管理センター８２０又は医師デバイス８３０は、リモートオペレータが患者の医療履歴にアクセスできるように、患者記録レポジトリのような他のデバイス（図示せず）とインターフェースしてもよい。
【００９０】
［００１０７］いくつかの実施形態では、管理システムは、インターネット８１０又は他のネットワークも介して収納ケース１００と通信してもよい。例えば、別個のサーバ、パーソナルコンピュータ、テーブル、ラップトップ、クラウド仮想マシン、又は管理センター８２０自体は、収納ケースと通信し、在庫管理、通話録音、ログ、及びその他の管理機能を実行してもよい。
【００９１】
［００１０８］図９は、医師デバイス又は管理センターデバイスの例示的なハードウェアの図９００を示している。様々な実施形態では、例示的なハードウェア図９００は、収納ケースの少なくとも一部も記述してもよい。図示されるように、ハードウェア２００は、一つ以上のシステムバス９１０を介して相互接続するプロセッサ９２０、メモリ９３０、ユーザインターフェイス９４０、ネットワークインターフェース９５０、及びストレージ９６０を含んでいる。図９は、いくつかの点で、抽象化され、ハードウェア９００の構成要素の実際の構成は図示されたものよりも複雑であることが理解されるであろう。
【００９２】
［００１０９］プロセッサ９２０は、メモリ９３０又はストレージ９６０又はそうでなければ処理データに格納された命令を実行することが可能なハードウェアデバイスであってもよい。このように、プロセッサ９２０は、マイクロプロセッサ、フィールドプログラマブルゲートアレイ（ＦＰＧＡ）、特定用途向け集積回路（ＡＳＩＣ）、又は他の類似のデバイスを含んでもよい。
【００９３】
［００１１０］メモリ９３０は、例えば、Ｌ１、Ｌ２、若しくはＬ３キャッシュ又はシステムメモリのような様々なメモリを含んでもよい。このように、メモリ９３０は、スタティックランダムアクセスメモリ（ＳＲＡＭ）、ダイナミックＲＡＭ（ＤＲＡＭ）、フラッシュメモリ、読取専用メモリ（ＲＯＭ）、又は他の同様のメモリデバイスを含んでもよい。
【００９４】
［００１１１］ユーザインターフェイス９４０は、管理者などのユーザとの通信を可能にするための一つ以上のデバイスを含んでもよい。例えば、ユーザインターフェイス９４０は、ディスプレイ、マウス、及びユーザコマンドを受け取るキーボードを含んでもよい。いくつかの実施形態では、ユーザインターフェイス２４０は、ネットワークインターフェース９５０を介してリモート端末に提示されてもよいコマンドラインインターフェース又はグラフィカルユーザインターフェースを含んでもよい。
【００９５】
［００１１２］ネットワークインターフェース９５０は、他のハードウェアデバイスとの通信を可能にする一つ以上のデバイスを含んでもよい。例えば、ネットワークインターフェース９５０は、イーサネット（登録商標）プロトコルに従って通信するように構成されたネットワークインターフェースカード（ＮＩＣ）を含んでもよい。また、ネットワークインターフェース９５０は、ＴＣＰ／ＩＰプロトコルによる通信のためにＴＣＰ／ＩＰスタックを実装してもよい。ネットワークインターフェース９５０の様々な代替又は追加のハードウェアや構成は、明らかであろう。
【００９６】
［００１１３］ストレージ９６０は、読取専用メモリ（ＲＯＭ）、ランダムアクセスメモリ（ＲＡＭ）、磁気ディスク記憶媒体、光記憶媒体、フラッシュメモリデバイス、又は類似の記憶媒体のような一つ以上の機械可読記憶媒体を含んでもよい。様々な実施形態では、ストレージ９６０は、プロセッサ９２０によって実行される命令又はプロセッサ９２０がそれで動作するデータを格納してもよい。例えば、ストレージ９６０は、Ｌｉｎｕｘ（登録商標）、ＭＩＣＲＯＳＯＦＴ  ＷＩＮＤＯＷＳ（登録商標）  ＯＳ、アップルＯＳ  Ｘ、ＡＰＰＬＥ  ｉＯＳ、又はＧｏｏｇｌｅのＡｎｄｒｏｉｄ  ＯＳのようなベースオペレーティングシステム（ＯＳ）９６１を格納してもよい。ストレージ９６０は、一つ以上の収納ケースと通信するアプリケーション９６２を定義する命令も含んでいる。収納ケースアプリ９６２の一部環として、ストレージ９６０は、収納ケースと音声又は映像データを通信するためにＶｏＩＰ命令９６３と、ハードウェア９００へのユーザのコマンドによって、収納ケースが薬剤を解放することを支持する解放命令９６４とを格納してもよい。
【００９７】
［００１１４］なお、ストレージ９６０に格納されているように記載された様々な情報が追加的又は代替的にメモリ９３０に格納されてもよいことは明らかであろう。例えば、オペレーティングシステム９６１及び壁ユニットアプリケーション９６２は、プロセッサ９２０による実行について、少なくとも部分的にメモリ９３０にコピーされてもよい。この点において、メモリ９３０は、「ストレージデバイス」を構成するとも見なされてもよく、ストレージ９６０は「メモリ」と見なされてもよい。様々な他の構成が明らかであろう。また、メモリ９３０及びストレージ９６０の両方は、「非一時的機械可読媒体」と見なしてもよい。本明細書で使用されたように、「非一時」という用語は、一時的信号を排除するが、ストレージのすべての形態を含み、揮発性及び不揮発性の両方のメモリを含ことが理解されるであろう。
【００９８】
［００１１５］ハードウェア９００は記載された構成要素のそれぞれの一つを含むものとして示されているが、様々な構成要素は、様々な実施形態において重複していてもよい。例えば、プロセッサ９２０は、本明細書に記載された方法を独立して実行するように構成されるか、又は、複数のプロセッサが本明細書に記載された機能を実現するために協働するように、本明細書に記載された方法のステップ又はサブルーチンを実行するように構成された複数のマイクロプロセッサを含んでもよい。
【００９９】
［００１１６］図１から図９に関して薬剤収納ケースの一実施例を説明してきたが、ここで様々な代替実施形態を説明する。本明細書に記載のすべての実施形態の中で開示される様々な特徴は、本明細書で記載された方法及び技術の範囲内のさらに別の実施形態を生成するために組み合わせてもよいことが理解されるであろう。
【０１００】
［００１１７］図１０は、薬剤収納ケース１０００の第１の代替実施形態を示している。図示されるように、第１の代替的な実施形態１０００は、図１の実施形態と同様であり、収納ケース本体１０１０、ヒンジによるドア１２０、進むボタン１１１、停止ボタン１１２、ディスプレイデバイス１１３、及び分配可能な薬剤１３０を含んでいる。第１の代替的な実施形態１０００は、カメラ１０４２を含む着脱可能な通信ユニット１０４０も含んでいる。代替的に又は付加的に、着脱式の通信ユニット１０４０は、スピーカ又はマイクロホンを含んでもよい。着脱式の通信ユニット１０４０は、ケース本体１０１０から取り外され、収納ケース本体１０１０の近くではないこともある患者の場所のような別の場所に輸送されてもよい。着脱式の通信ユニット１０４０は、例えば、ＷｉＦｉ又はＢｌｕｅｔｏｏｔｈ（登録商標）接続のような無線通信媒体を介して収納ケース１０００に対して視覚的又は音声データを中継してもよい。このように、医師などのリモートオペレータは、壁掛け型収納ケース１０００まで歩くことができない患者と視覚化し又は通信することができる。
【０１０１】
［００１１８］様々な実施形態では、着脱式の通信ユニット１０４０は、ユーザによって着脱自在であってもよいが、他の実施形態では、着脱可能な通信ユニット１０４０の取り外しは制限されてもよい。例えば、着脱式の通信ユニット１０４０は、管理センターへの通話がなされ、又は着脱式の通信ユニット１０４０を解放するという管理センター又は医師からの命令受信したときにのみ、着脱可能であってもよい。着脱式の通信ユニット１０４０の選択的な解放は、薬物への選択的なアクセスを提供することに関し、本明細書に記載のされた実質的に任意の様式で提供されてもよい。例えば、着脱式の通信ユニット１０４０は、一つ以上の移動可能なタブ又はフックを介して本体１０１０に取り付けてもよい。着脱式の通信ユニット１０４０を解放する命令を受信すると、プロセッサは、タブ又はフックを解除するように構成された一つ以上のソレノイドを作動させる一つ以上のソレノイドコントローラに信号を送り、それによって、着脱可能な通信部１０４０を解放してもよい。
【０１０２】
［００１１９］図１１は、薬剤収納ケースの第１の代替実施形態の断面１１００を示している。断面１１１０は、分配する薬剤を吊り下げることに代わって、薬剤１３０、１３１はそれぞれのプラットフォーム又はドア１１５０、１１５１に載置されてもよい。電子機器１１１７によって作動されると、ソレノイド、サーボモータ、又はステッピングモータのようなアクチュエータは、プラットフォーム１１５０、１１５１をスライド又は回転させ、関連する薬剤１３０、１３１が吊り下げられなくなり、前面開口部に向かって湾曲した後壁を滑り落ちてもよい。
【０１０３】
［００１２０］図１２は、薬剤収納ケース１２００の第２の代替的な実施形態を示している。第２の代替的な実施形態１２００は、ケース本体１２１０及び分配された薬剤１３０の棚を形成する別々のシェル１２２０を含んでいる。第２の代替的な実施形態１２００は、タッチスクリーンディスプレイデバイス１１３、及びカメラ１２４２などの着脱式の通信ユニット１２４０も含んでいる。第２の代替的な実施形態１２００は、物理的なボタンを欠き、これに代わって、タッチスクリーンディスプレイデバイス１１３を介してソフトウェアボタンをのみを提供してもよい。
【０１０４】
［００１２１］図１３は、薬剤収納ケースの第２の代替的な実施形態の断面１３００を示している。図示のように、ケース本体１２１０は、薬剤１３０、１３１を受け入れる凹部を形成している。凹部は、薬剤１３０、１３１を解放してシェル１２２０によって形成された下部棚に滑り落ちるように、電子機器によって作動されてもよいそれぞれのドア１３５０、１３５１に関連してもよい。
【０１０５】
［００１２２］図１４は、薬剤収納ケース１４００の第３の代替実施形態を示している。第３の代替実施形態１４００は、ケース本体１４１０、進むボタン１４１１、停止ボタン１４１２、ディスプレイデバイス１４１３、及び着脱式の通信ユニットの一部であってもよいカメラ１４４２を含んでいる。また、第３の代替実施形態１４００は、閉じたときに、薬剤１３０へのアクセスを阻むドア１４２０を含んでいる。電子機器によって作動すると、ドア１４２０は、ローカルユーザが手動でドアを開けて内部領域から薬剤を取り出してもよいように、ロック解除してもよい。
【０１０６】
［００１２３］図１５は、薬剤収納ケース１５００の第４の代替実施形態を示している。第４の代替実施形態１５００は、第３の代替の実施例１４００に類似するが、構成要素が異なる場所に含んでいる。図に示すように、第４の代替実施形態１５００は、本体１５１０、進むボタン１５１１、停止ボタン１５１２、ディスプレイデバイス１５１３、カメラ１５４２、それぞれのロックされた引き出し内に配置された二つの薬剤１３０、１３１を含んでいる。電子機器が作動すると、ユーザが本体１５１０の側部から引き出してそれぞれの薬剤１３０、１３１を引き出してもよいように、引き出しの一つはロック解除されてもよい。
【０１０７】
［００１２４］図１６は、薬剤収納ケース１６００の第５の代替実施形態を示している。第５の代替的な実施形態１６００は、ロック１６１７を介して後部本体１６３０から前部本体１６１０のロックを解除した後で保守担当者が電子機器にアクセスできるようにヒンジにより連結された二部ケース本体１６１０、１６３０を含んでいる。第５の代替的な実施形態１６００はまた、進むボタン１６１１、停止ボタン１６１２、ディスプレイデバイス１６１３、及びヒンジによるドア１６２０も含んでいる。図に示すように、第５の代替的な実施形態１６００は、分配する薬剤を積み込む二つのスロット１６３１、１６３２を上面に含んでいる。スロット１６３１、１６３２の一つに挿入された薬剤は、チャネルを通って落下して保持構造によって捕捉され、その後で、保持構造は、薬剤のいずれかを格納するように作動されてもよい。第５の代替的な実施形態１６００はまた、テキスト形式の命令を含むステッカー１６１８、１６１９も含んでいる。
【０１０８】
［００１２５］上述のように、様々な例示的な実施形態は、緊急事態における処方箋が必要な医薬品への迅速なアクセスを可能している。例えば、ローカルユーザを保健専門家のようなリモートオペレータと通信することを可能にする薬剤収納ケースを提供することによって、リモート有資格者は、緊急事態を適切に評価し、薬剤の緊急処方が適切であるかどうかを判断してもよい。また、このような担当者によってリモートで制御される収納ケースを提供することによって、収納ケースは、リモート担当者が適切な医薬品へのアクセスを可能にするまで薬剤へのアクセスを制限してもよい。様々な他の利益は、前述の説明を考慮して明らかとなるであろう。
【０１０９】
［００１２６］本発明の様々な例示的な実施形態は、ハードウェア及び／又はファームウェアに実装することができることは上述の説明から明らかであろう。さらに、様々な例示的な実施形態は、機械可読記憶媒体に格納された命令として実装されてもよく、それは、少なくとも一つのプロセッサによって読み出されて実行されて本明細書で詳細に説明した動作を実行してもよい。機械可読記憶媒体は、パーソナル又はラップトップコンピュータ、サーバ、又は他のコンピューティングデバイスのようなマシンによって読み取り可能な形式で情報を格納する機構を含んでもよい。したがって、機械可読記憶媒体は、読出専用メモリ（ＲＯＭ）、ランダムアクセスメモリ（ＲＡＭ）、磁気ディスク記憶媒体、光記憶媒体、フラッシュメモリデバイス、及び類似の記憶媒体を含んでもよい。
【０１１０】
［００１２７］本明細書のブロック図は、本発明の原理を具現化する例示的な回路の概念図を表すことが当業者に理解されるべきである。同様に、フローチャート、フロー図、状態遷移図、擬似コード等は、様々なプロセスを表し、それは、機械可読媒体で実質的に表され、そのようなコンピュータ又はプロセッサが明示的に図示されているかどうかにかかわらず、コンピュータ又はプロセッサによって実行されてもよいことが理解されるであろう。
【０１１１】
［００１２８］特定の例示的な態様を特に参照して様々な例示的な実施形態を詳細に説明してきたが、本発明は、他の実施形態が可能であり、その詳細は様々な明らかな点で変更が可能であることが理解されるべきである。当業者には容易に明らかなように、本発明の精神及び範囲内にあれば、変形及び変更ができる。したがって、前述の開示、説明、及び図は、説明のみを目的としており、特許請求の範囲によってのみ定義される本発明を限定するものではない。
【図１】
0006430537.tif 000002
【図２】
0006430537.tif 000003
【図３】
0006430537.tif 000004
【図４】
0006430537.tif 000005
【図５】
0006430537.tif 000006
【図６】
0006430537.tif 000007
【図７】
0006430537.tif 000008
【図８】
0006430537.tif 000009
【図９】
0006430537.tif 000010
【図１０】
0006430537.tif 000011
【図１１】
0006430537.tif 000012
【図１２】
0006430537.tif 000013
【図１３】
0006430537.tif 000014
【図１４】
0006430537.tif 000015
【図１５】
0006430537.tif 000016
【図１６】
0006430537.tif 000017